【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
画像を撮像する撮像手段と、
前記撮像手段によって撮像された画像と該画像に付加された情報とを表示するように制御する表示制御手段と、
ビットデータと、前記表示制御手段で表示可能な第１の文字データによる第１の文字列と、外部機器の表示手段に表示可能な第２の文字データによる第２の文字列とを関連付けて、前記画像を選別するための単一のタグ情報として前記画像に付加して記録するように制御する記録制御手段と
を有することを特徴とする撮像装置。
【請求項２】
前記表示制御手段は、前記タグ情報のうち、前記ビットデータとともに前記第１の文字列を表示し、前記第２の文字列は表示しないように制御することを特徴とする請求項１に記載の撮像装置。
【請求項３】
前記表示制御手段は、記録媒体に記録された複数の画像のうち、特定の前記タグ情報が付加された画像のみを選別して表示するように制御することを特徴とする請求項１または２に記載の撮像装置。
【請求項４】
前記第１の文字データは、ASCIIコードであることを特徴とする請求項１乃至３のいずれか１項に記載の撮像装置。
【請求項５】
前記記録制御手段は、前記単一のタグ情報に含まれる前記ビットデータと前記第１の文字列と前記第２の文字列とに対して、単一のＩＤを設定して記録するように制御することを特徴とする請求項１乃至４のいずれか１項に記載の撮像装置。
【請求項６】
前記記録制御手段は、前記タグ情報を、記録媒体に記録されたそれぞれの画像のヘッダ情報として記録することを特徴とする請求項１乃至５のいずれか１項に記載の撮像装置。
【請求項７】
前記記録制御手段は、前記タグ情報を、記録媒体に記録されたそれぞれの画像の、Ｅｘｉｆ規格で用意されているＭａｋｅｒＮｏｔｅに記録することを特徴とする請求項１乃至６のいずれか１項に記載の撮像装置。
【請求項８】
前記記録制御手段は、ユーザにより任意に選択されたタグ情報を記録するように制御することを特徴とする請求項１乃至７のいずれか１項に記載の撮像装置。
【請求項９】
画像を撮像する撮像装置と外部機器とを接続したシステムであって、
前記撮像装置は、
画像を撮像する撮像手段と、
前記撮像手段によって撮像された画像と該画像に付加された情報とを表示するように制御する表示制御手段と、
前記画像を選別するためのタグ情報を表すビットデータと、前記表示制御手段で表示可能な第１の文字データによる第１の文字列と、前記外部機器の表示手段に表示可能な第２の文字データによる第２の文字列とを、該タグ情報の単一の項目として前記画像に付加して記録するように制御する記録制御手段と、
前記タグ情報のテーブルを管理する管理手段と
を有し、
前記外部機器は、
前記管理手段から前記タグ情報のテーブルを取得する取得手段と、
前記取得手段によって取得した前記テーブルを表示する表示手段と、
前記表示手段に表示された前記テーブルの情報を編集する編集手段と
を有することを特徴とするシステム。
【請求項１０】
前記編集手段は、前記テーブルの情報のうち、前記タグ情報の第１の文字列と前記第２の文字列との少なくとも一方を編集することを特徴とする請求項９に記載のシステム。
【請求項１１】
前記撮像装置は、前記編集手段による編集前のタグ情報が付加された画像ファイルを編集後のタグ情報に変更する変更手段を更に有することを特徴とする請求項９または１０に記載のシステム。
【請求項１２】
画像を撮像する撮像装置の制御方法であって、
前記撮像された画像と該画像に付加された情報とを表示するように制御する表示制御工程と、
ビットデータと、前記表示制御工程で表示可能な第１の文字データによる第１の文字列と、外部機器の表示手段に表示可能な第２の文字データによる第２の文字列とを関連付けて、前記画像を選別するための単一のタグ情報として前記画像に付加して記録するように制御する記録制御工程と
を有することを特徴とする制御方法。
【請求項１３】
画像を撮像する撮像装置と外部機器とを接続したシステムにおいて、前記撮像装置と前記外部機器とを制御する方法であって、
前記撮像装置は、
前記撮像された画像と該画像に付加された情報とを表示するように制御する表示制御工程と、
前記画像を選別するためのタグ情報を表すビットデータと、前記表示制御工程で表示可能な第１の文字データによる第１の文字列と、前記外部機器の表示手段に表示可能な第２の文字データによる第２の文字列とを、該タグ情報の単一の項目として前記画像に付加して記録するように制御する記録制御工程と、
前記タグ情報のテーブルを管理する管理工程と
を実行し、
前記外部機器は、
前記撮像装置から前記タグ情報のテーブルを取得する取得工程と、
前記取得した前記テーブルを表示する表示工程と、
前記表示された前記テーブルの情報を編集する編集工程と
を実行することを特徴とする方法。
【請求項１４】
コンピュータを、
画像を撮像する撮像手段と、
前記撮像手段によって撮像された画像と該画像に付加された情報とを表示するように制御する表示制御手段と、
ビットデータと、前記表示制御手段で表示可能な第１の文字データによる第１の文字列と、外部機器の表示手段に表示可能な第２の文字データによる第２の文字列とを関連付けて、前記画像を選別するための単一のタグ情報として前記画像に付加して記録するように制御する記録制御手段として機能させるためのプログラム。
【請求項１５】
画像を撮像する撮像装置と外部機器とを接続したシステムにおいて、
前記撮像装置のコンピュータを、
画像を撮像する撮像手段と、
前記撮像手段によって撮像された画像と該画像に付加された情報とを表示するように制御する表示制御手段と、
前記画像を選別するためのタグ情報を表すビットデータと、前記表示制御手段で表示可能な第１の文字データによる第１の文字列と、前記外部機器の表示手段に表示可能な第２の文字データによる第２の文字列とを、該タグ情報の単一の項目として前記画像に付加して記録するように制御する記録制御手段と、
前記タグ情報のテーブルを管理する管理手段として機能させ、
前記外部機器のコンピュータを、
前記管理手段から前記タグ情報のテーブルを取得する取得手段と、
前記取得手段によって取得した前記テーブルを表示する表示手段と、
前記表示手段に表示された前記テーブルの情報を編集する編集手段として機能させるためのプログラム。
【請求項１６】
コンピュータを、
画像を撮像する撮像手段と、
前記撮像手段によって撮像された画像と該画像に付加された情報とを表示するように制御する表示制御手段と、
ビットデータと、前記表示制御手段で表示可能な第１の文字データによる第１の文字列と、外部機器の表示手段に表示可能な第２の文字データによる第２の文字列とを関連付けて、前記画像を選別するための単一のタグ情報として前記画像に付加して記録するように制御する記録制御手段として機能させるためのプログラムを記憶したコンピュータ読み取り可能な記憶媒体。
【請求項１７】
画像を撮像する撮像装置と外部機器とを接続したシステムにおいて、
前記撮像装置のコンピュータを、
画像を撮像する撮像手段と、
前記撮像手段によって撮像された画像と該画像に付加された情報とを表示するように制御する表示制御手段と、
前記画像を選別するためのタグ情報を表すビットデータと、前記表示制御手段で表示可能な第１の文字データによる第１の文字列と、前記外部機器の表示手段に表示可能な第２の文字データによる第２の文字列とを、該タグ情報の単一の項目として前記画像に付加して記録するように制御する記録制御手段と、
前記タグ情報のテーブルを管理する管理手段として機能させ、
前記外部機器のコンピュータを、
前記管理手段から前記タグ情報のテーブルを取得する取得手段と、
前記取得手段によって取得した前記テーブルを表示する表示手段と、
前記表示手段に表示された前記テーブルの情報を編集する編集手段として機能させるためのプログラムを記憶したコンピュータ読み取り可能な記憶媒体。
【手続補正２】
【補正対象書類名】明細書
【補正対象項目名】発明の名称
【補正方法】変更
【補正の内容】
【発明の名称】撮像装置、システム及びそれらの制御方法、プログラム、記憶媒体
【手続補正３】
【補正対象書類名】明細書
【補正対象項目名】０００７
【補正方法】変更
【補正の内容】
【０００７】
上記課題を解決し、目的を達成するために、本発明の撮像装置は、画像を撮像する撮像手段と、前記撮像手段によって撮像された画像と該画像に付加された情報とを表示するように制御する表示制御手段と、ビットデータと、前記表示制御手段で表示可能な第１の文字データによる第１の文字列と、外部機器の表示手段に表示可能な第２の文字データによる第２の文字列とを関連付けて、前記画像を選別するための単一のタグ情報として前記画像に付加して記録するように制御する記録制御手段とを有する。
【手続補正４】
【補正対象書類名】明細書
【補正対象項目名】０００８
【補正方法】変更
【補正の内容】
【０００８】
また、本発明のシステムは、画像を撮像する撮像装置と外部機器とを接続したシステムであって、前記撮像装置は、画像を撮像する撮像手段と、前記撮像手段によって撮像された画像と該画像に付加された情報とを表示するように制御する表示制御手段と、前記画像を選別するためのタグ情報を表すビットデータと、前記表示制御手段で表示可能な第１の文字データによる第１の文字列と、前記外部機器の表示手段に表示可能な第２の文字データによる第２の文字列とを、該タグ情報の単一の項目として前記画像に付加して記録するように制御する記録制御手段と、前記タグ情報のテーブルを管理する管理手段とを有し、前記外部機器は、前記管理手段から前記タグ情報のテーブルを取得する取得手段と、前記取得手段によって取得した前記テーブルを表示する表示手段と、前記表示手段に表示された前記テーブルの情報を編集する編集手段とを有する。
【手続補正５】
【補正対象書類名】明細書
【補正対象項目名】０００９
【補正方法】変更
【補正の内容】
【０００９】
また、本発明の撮像装置の制御方法は、画像を撮像する撮像装置の制御方法であって、前記撮像された画像と該画像に付加された情報とを表示するように制御する表示制御工程と、ビットデータと、前記表示制御工程で表示可能な第１の文字データによる第１の文字列と、外部機器の表示手段に表示可能な第２の文字データによる第２の文字列とを関連付けて、前記画像を選別するための単一のタグ情報として前記画像に付加して記録するように制御する記録制御工程とを有する。
【手続補正６】
【補正対象書類名】明細書
【補正対象項目名】００１０
【補正方法】変更
【補正の内容】
【００１０】
また、本発明のシステムの制御方法は、画像を撮像する撮像装置と外部機器とを接続したシステムにおいて、前記撮像装置と前記外部機器とを制御する方法であって、前記撮像装置は、前記撮像された画像と該画像に付加された情報とを表示するように制御する表示制御工程と、前記画像を選別するためのタグ情報を表すビットデータと、前記表示制御工程で表示可能な第１の文字データによる第１の文字列と、前記外部機器の表示手段に表示可能な第２の文字データによる第２の文字列とを、該タグ情報の単一の項目として前記画像に付加して記録するように制御する記録制御工程と、前記タグ情報のテーブルを管理する管理工程とを実行し、前記外部機器は、前記撮像装置から前記タグ情報のテーブルを取得する取得工程と、前記取得した前記テーブルを表示する表示工程と、
前記表示された前記テーブルの情報を編集する編集工程とを実行する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
本発明によれば、撮像装置で生成される画像ファイルに、外部機器で利用可能なタグ情報を付加できるので、撮像装置で付加されたタグ情報を外部機器で利用する際の自由度を拡大できる。よって、外部機器におけるタグ情報の視認性やファイルの検索性が向上できる。
【手続補正１０】
【補正対象書類名】明細書
【補正対象項目名】００４７
【補正方法】変更
【補正の内容】
【００４７】
上記各システム２０１から２０４，２２１，不揮発性ＲＯＭ２１１、操作ボタン２１０液晶画面２０９、メモリーカード２０８、ＵＳＢインターフェース２０５は中央制御システム２００により統括して制御される。